(57)【要約】【課題】１台の表示装置を左右２分割等の多画面表示したときに、左右の個々の画面を操作対象画面の切り換え操作なしに２つのリモコン装置で同時操作できるリモコンユニットを提供する。【解決手段】リモコンユニットを構成するリモコン装置１００，２００は、多画面表示可能なＴＶへリモコンコードを送信する前面送信部と、リモコン装置間で通信するための左右送信部，左右受信部とを備える。リモコン装置１００は、左右送信部から送信許可要求コードを送信し、リモコン装置２００は、左右受信部のいずれか一方で送信許可要求コードを受信し、前面送信部からＴＶへ操作コードを送信中でなければ、リモコン装置１００からリモコンコードの送信を許可する送信許可コードと送信許可要求コードを受信した受信部の位置情報とを送信する。リモコン装置１００は、送信許可コードと位置情報に基づいて、前面送信部からＴＶの各画面に対応したリモコンコードを送信する。【選択図】図１
2008167100.tif 000002
【特許請求の範囲】
【請求項１】
多画面表示可能な表示装置へ操作コードを送信する操作コード送信部を前面に備えた複数のリモコン装置で構成されるリモコンユニットであって、
前記リモコンユニットを構成する各リモコン装置は、リモコン装置間で通信するための送信部と受信部を両側面に備え、
一方のリモコン装置は、前記両側面の送信部から送信許可要求コードを送信し、
他方のリモコン装置は、前記両側面の受信部のいずれか一方で前記送信許可要求コードを受信し、前記操作コード送信部から前記表示装置へ操作コードを送信中でなければ、前記一方のリモコン装置から操作コードの送信を許可する送信許可コードと前記送信許可要求コードを受信した受信部の位置情報とを、前記一方のリモコン装置へ送信し、
前記一方のリモコン装置は、前記送信許可コードと前記位置情報に基づいて、前記操作コード送信部から、前記表示装置の各画面に対応した操作コードを送信することを特徴とするリモコンユニット。
【請求項２】
請求項１に記載のリモコンユニットにおいて、前記他方のリモコン装置は、前記操作コード送信部から前記表示装置へ操作コードを送信中の場合、該操作コードの送信後に、前記送信許可コードと前記位置情報を前記一方のリモコン装置へ送信することを特徴とするリモコンユニット。
【請求項３】
請求項１又は２に記載のリモコンユニットにおいて、前記表示装置は、左右２画面表示可能とし、
前記一方のリモコン装置と前記他方のリモコン装置は、前記表示装置の操作時に、該表示装置の左画面と右画面に対応して、該表示装置に向かって相対的に左右の位置関係となるように配置されることを特徴とするリモコンユニット。
【請求項４】
請求項３に記載のリモコンユニットにおいて、前記一方のリモコン装置は、前記表示装置に向かって前記他方のリモコン装置の右側に位置する場合、前記表示装置の右画面を操作するための右画面用操作コードを前記操作コード送信部から送信し、
前記表示装置に向かって前記他方のリモコン装置の左側に位置する場合、前記表示装置の左画面を操作するための左画面用操作コードを前記操作コード送信部から送信することを特徴とするリモコンユニット。
【請求項５】
請求項１乃至４のいずれか１項に記載のリモコンユニットにおいて、前記各リモコン装置は、前記表示装置を操作するための複数の操作キーを備え、
前記一方のリモコン装置は、前記複数の操作キーのいずれかが押下されると、前記両側面の送信部から送信許可要求コードを送信することを特徴とするリモコンユニット。
【請求項６】
請求項１乃至５のいずれか１項に記載のリモコンユニットにより操作可能な多画面表示装置であって、
多画面表示する表示部と、前記リモコンユニットから送信された操作コードを判定する判定部とを備え、
前記判定部により判定された判定結果に基づいて操作対象画面を前記操作コードに従って操作することを特徴とする多画面表示装置。
【請求項７】
請求項６に記載の多画面表示装置において、該多画面表示装置は、左右２画面表示可能とし、
前記判定部は、前記リモコンユニットから送信された操作コードが右画面用操作コードであるか、左画面用操作コードであるかを判定することを特徴とする多画面表示装置。
【発明の詳細な説明】
【技術分野】
【０００１】
本発明は、リモコンユニット及び多画面表示装置、より詳細には、１台の表示装置に表示される複数画面を同時に操作可能なリモコンユニット及び該リモコンユニットにより操作される多画面表示装置に関する。
【背景技術】
【０００２】
従来、例えばテレビジョン装置（ＴＶ）などの表示装置において、画面上に複数のウィンドウを表示し、１つのリモコン装置を用いて操作対象となるウィンドウを切り換えながら、各々のウィンドウに対して操作を行うものが知られている。
【０００３】
近年のＴＶの大画面化に伴い、大画面を複数のウィンドウに分割して、数人で異なるＴＶ番組を視聴したり、一方の画面でＴＶ番組を視聴し、他方の画面でＷｅｂページを閲覧するといった利用形態が一般的になってくるものと予想される。しかし、大画面ＴＶを複数のユーザで視聴しようとした場合、多画面分割したディスプレイに対して、単一のリモコン装置を複数人で使用しなければならず、使い勝手が悪いという問題があった。
【０００４】
上記課題を解決するために、例えば、特許文献１に記載の技術が提案されている。これによれば、複数のリモコン装置と複数の画面をＩＤにより管理し、リモコン装置の色分けと分割画面表示の色により、画面とリモコン装置を対応させ、複数のリモコン装置それぞれに対応するウィンドウ出力を容易に区別して操作できるようにしている。
【特許文献１】特開２０００−２７０２３８号公報
【発明の開示】
【発明が解決しようとする課題】
【０００５】
しかしながら、上記特許文献１に記載の技術の場合、画面分割時に、特定の画面を操作しようとすると、画面のＩＤに対応したリモコン装置を使用しなければならないため、画面とリモコン装置の対応は固定される。また、複数のリモコン装置を同時に使用する構成にはなっていないため、数人で多画面視聴する場合、リモコン装置を操作できるのは１人だけとなる。
【０００６】
本発明は、上述のごとき実情に鑑みてなされたものであり、１台の表示装置を左右２分割等の多画面表示したときに、左右の個々の画面を操作対象画面の切り換え操作なしに２つのリモコン装置で同時操作できるリモコンユニット及び該リモコンユニットにより操作される多画面表示装置を提供すること、を目的とする。
【課題を解決するための手段】
【０００７】
上記課題を解決するために、本発明の第１の技術手段は、多画面表示可能な表示装置へ操作コードを送信する操作コード送信部を前面に備えた複数のリモコン装置で構成されるリモコンユニットであって、リモコンユニットを構成する各リモコン装置は、リモコン装置間で通信するための送信部と受信部を両側面に備え、一方のリモコン装置は、両側面の送信部から送信許可要求コードを送信し、他方のリモコン装置は、両側面の受信部のいずれか一方で送信許可要求コードを受信し、操作コード送信部から表示装置へ操作コードを送信中でなければ、一方のリモコン装置から操作コードの送信を許可する送信許可コードと送信許可要求コードを受信した受信部の位置情報とを、一方のリモコン装置へ送信し、一方のリモコン装置は、送信許可コードと位置情報に基づいて、操作コード送信部から、表示装置の各画面に対応した操作コードを送信することを特徴としたものである。
【０００８】
第２の技術手段は、第１の技術手段において、他方のリモコン装置は、操作コード送信部から表示装置へ操作コードを送信中の場合、操作コードの送信後に、送信許可コードと位置情報を一方のリモコン装置へ送信することを特徴としたものである。
【０００９】
第３の技術手段は、第１又は第２の技術手段において、表示装置は、左右２画面表示可能とし、一方のリモコン装置と他方のリモコン装置は、表示装置の操作時に、表示装置の左画面と右画面に対応して、表示装置に向かって相対的に左右の位置関係となるように配置されることを特徴としたものである。
【００１０】
第４の技術手段は、第３の技術手段において、一方のリモコン装置は、表示装置に向かって他方のリモコン装置の右側に位置する場合、表示装置の右画面を操作するための右画面用操作コードを操作コード送信部から送信し、表示装置に向かって他方のリモコン装置の左側に位置する場合、表示装置の左画面を操作するための左画面用操作コードを操作コード送信部から送信することを特徴としたものである。
【００１１】
第５の技術手段は、第１乃至第４のいずれか１の技術手段において、各リモコン装置は、表示装置を操作するための複数の操作キーを備え、一方のリモコン装置は、複数の操作キーのいずれかが押下されると、両側面の送信部から送信許可要求コードを送信することを特徴としたものである。
【００１２】
第６の技術手段は、第１乃至第５のいずれか１の技術手段におけるリモコンユニットにより操作可能な多画面表示装置であって、多画面表示する表示部と、リモコンユニットから送信された操作コードを判定する判定部とを備え、判定部により判定された判定結果に基づいて操作対象画面を操作コードに従って操作することを特徴としたものである。
【００１３】
第７の技術手段は、第６の技術手段において、多画面表示装置は、左右２画面表示可能とし、判定部は、リモコンユニットから送信された操作コードが右画面用操作コードであるか、左画面用操作コードであるかを判定することを特徴としたものである。
【発明の効果】
【００１４】
本発明によれば、リモコン装置の左右側面それぞれに、送信部と受信部を備えているため、２つのリモコン装置のキー操作が同時に行われても、リモコン装置間で送信タイミングを調停し、混信することがなく、ＴＶ本体を操作することが出来る。
また、ＴＶ画面が２画面表示の場合、操作対象画面を切り換えることなく、２つのリモコン装置により左右画面を同時に操作することが出来る。
また、リモコン装置の位置関係により、操作対象画面が決まるので、各画面に対応した個別のリモコン装置を選ぶことなく、ＴＶの操作を行うことが出来る。
【発明を実施するための最良の形態】
【００１５】
図１は、本発明の一実施形態に係るリモコンユニットの外観構成例を示す図である。リモコンユニットは、リモコン装置１００とリモコン装置２００の２つのリモコン装置で構成される。リモコン装置１００は、前面に設けられた前面送信部１０１と、両側面に設けられた右送信部１０２，左送信部１０４と、両側面に設けられた右受信部１０３，左受信部１０５と、複数のリモコンキー１０６とを備える。同様に、リモコン装置２００は、前面に設けられた前面送信部２０１と、両側面に設けられた右送信部２０２，左送信部２０４と、両側面に設けられた右受信部２０３，左受信部２０５と、複数のリモコンキー２０６とを備える。
【００１６】
リモコン装置１００とリモコン装置２００は、同様の構成を有し、両側面に設けられた左右送信部及び左右受信部により互いにコード情報の通信を可能とし、前面に設けられた前面送信部により多画面表示装置を操作するための操作コード（以下、リモコンコードという）を送信する。この多画面表示装置は、左右２画面表示などのマルチ画面表示機能を備えたテレビジョン装置（ＴＶ）などであって、マルチ画面表示時において、図１に示すリモコンユニットにより各画面が切り換え操作なしに操作される。
【００１７】
図２は、図１に示したリモコンユニットを構成するリモコン装置の内部構成例を示すブロック図である。リモコン装置１００は、多画面表示可能な多画面表示装置へリモコンコードを送信する本発明の操作コード送信部に相当する前面送信部１０１と、送信許可要求コードを送信する右送信部１０２，左送信部１０４と、送信許可要求コードを受信したリモコン装置２００から送信許可コードと位置情報を受信する右受信部１０３，左受信部１０５と、リモコンコードに対応付けられた複数のリモコンキー１０６と、これら各部（前面送信部１０１，右送信部１０２，左送信部１０４，右受信部１０３，左受信部１０５，及びリモコンキー１０６）と接続され各部の動作を制御するコントローラ１０７と、を備える。なお、リモコン装置２００はリモコン装置１００の構成と同様であるため、ここでの説明は省略する。
【００１８】
ここで、右送信部１０２，左送信部１０４から送信される送信許可要求コードは、リモコン装置１００がユーザにより押下されたリモコンキー１０６に応じたリモコンコードを送信してよいかどうかをリモコン装置２００に確認するためのコードである。また、右受信部１０３，左受信部１０５で受信される送信許可コードは、リモコン装置２００から送信されるコードであり、リモコン装置２００が上記送信許可要求コードを受け取ったときに自身がＴＶへリモコンコードを送信中でなければ、リモコン装置１００のリモコンコードの送信を許可するためのコードである。また、右受信部１０３，左受信部１０５で送信許可コードと共に受信される位置情報は、リモコン装置２００とリモコン装置１００の相対位置関係を示すコードであり、送信許可コードと同様に、リモコン装置２００から送信される。これにより、リモコン装置１００は、リモコン装置１００がリモコン装置２００の右側に位置するか、左側に位置するかを認識することができる。
【００１９】
図１及び図２において、本発明の一実施形態に係る多画面表示システムは、２個のリモコン装置１００，２００（リモコンユニット）と、左右２画面分割表示可能なＴＶ本体（図３に後述）とで構成される。２人のユーザ（ユーザＡ，Ｂ）は、同時にＴＶを操作するときに、リモコン装置１００とリモコン装置２００を、ＴＶの左画面と右画面に対応して、相対的に左右の位置関係となるように配置する。ここでは図１に示すように、ＴＶに向かって、リモコン装置１００が左側、リモコン装置２００が右側にくるように配置される。例えば、ＴＶの左画面の映像を観るユーザＡはリモコン装置１００を手に持ち、ＴＶの右画面の映像を観るユーザＢはリモコン装置２００を手に持ち、ユーザＡ，Ｂによりリモコン装置１００の右側面とリモコン装置２００の左側面が略対向するように適当な姿勢と距離に保持される。
【００２０】
一方のリモコン装置１００は、リモコンキー１０６のいずれかのキーがユーザにより押下されると、コントローラ１０７の制御に従って、両側面の右送信部１０２と左送信部１０４から送信許可要求コードを送信する。リモコン装置２００は、両側面の右受信部２０３，左受信部２０５のいずれか一方で送信許可要求コードを受信する。ここでは、リモコン装置２００はリモコン装置１００の右側に位置しているため、左受信部２０５で送信許可要求コードを受信する。
【００２１】
送信許可要求コードを受信したリモコン装置２００は、コントローラの制御に従って、前面送信部２０１からＴＶへリモコンコードを送信中であるかどうかを判定し、リモコンコードを送信中でなければ、リモコン装置１００からリモコンコードの送信を許可する送信許可コードと、送信許可要求コードを受信した左受信部２０５の位置情報（すなわち、左受信部２０５で受信したことを示す左コード）とを、両側面の右送信部２０２と左送信部２０４から送信する。一方、リモコン装置２００は、前面送信部２０１からＴＶへリモコンコードを送信中の場合、当該リモコンコードの送信後に、送信許可コードと位置情報を右送信部２０２と左送信部２０４から送信する。
【００２２】
リモコン装置１００は、送信許可コードと位置情報（左コード）を右受信部１０３で受信し、これらのコードに基づいて、前面送信部１０１から、ＴＶの各画面に対応したリモコンコードを送信する。ここでは、リモコン装置１００がリモコン装置２００から左コードを受信しているため、ＴＶに向かって、リモコン装置１００が左側、リモコン装置２００が右側の位置関係にあることが認識され、リモコン装置１００は、前面送信部１０１から、ＴＶの左画面に対応した左画面用リモコンコードを送信する。ＴＶは、受け取ったリモコンコードが右画面用か、左画面用かを判定し、判定した画面（ここでは左画面）に対して操作を行う。例えば、左画面用リモコンコードでその操作内容が選局であれば、左画面をアクティブにして操作対象画面とし、リモコンコードに従って選局操作を行う。
【００２３】
上記において、リモコン装置１００とリモコン装置２００の左右が入れ替わっても同様の操作が実行される。すなわち、リモコン装置１００がリモコン装置２００から右コードを受信した場合、ＴＶに向かって、リモコン装置１００が右側、リモコン装置２００が左側の位置関係にあることが認識され、リモコン装置１００は、前面送信部１０１から、ＴＶの右画面に対応した右画面用リモコンコードを送信する。
【００２４】
２つのリモコン装置は、それぞれ右用、左用の切り換えは無く、リモコン装置を操作するときの相対的な位置関係で、左に位置するリモコン装置はＴＶの左画面を操作することができ、右に位置するリモコン装置はＴＶの右画面を操作することができる。従って、右画面を操作していたリモコン装置と左画面を操作していたリモコン装置を左右入れ換えても、左側で操作するリモコン装置はＴＶの左画面を操作し、右側で操作するリモコン装置はＴＶの右画面を操作することができる。
【００２５】
また、左右の２つのリモコン装置を同時に操作した場合でも、リモコンコードが同時に送信されることがないため、リモコン装置からのリモコンコードを混信させることなく、ＴＶ画面を操作することができる。
また、左右個々の画面に対して、リモコン装置を操作するときの相対的な位置関係で操作対象画面を特定できるため、操作対象画面をわざわざ切り換えることなく、２つのリモコン装置で同時に操作することができる。
【００２６】
以上のような構成とすることで、マルチ画面表示機能を備えたＴＶにおいて、例えば、２分割した一方の画面をＴＶ画面とし、他方の画面をＰＣ（Ｗｅｂ）画面とし、２個のリモコン装置を用いて２人以上のユーザ（家族など）で同時に各画面を操作することができる。
【００２７】
図３は、本発明の一実施形態に係る多画面表示装置の構成例を示すブロック図で、図中、１０は多画面表示装置（以下、ＴＶで代表する）を示す。ＴＶ１０は、リモコン受光部１１、リモコンコード判定部１２、ユーザＩ／Ｆ操作部１３、ＴＶチューナ１４，１５、チューナ制御部１６、Ａ／Ｖ入力選択部１７、映像表示制御部１８、音声出力制御部１９、ディスプレイ２０、及びスピーカ２１を備える。
【００２８】
リモコン受光部１１は、リモコン装置１００あるいはリモコン装置２００から送信されたリモコンコードを受信する。このリモコンコードは例えば赤外光により送信される。リモコンコード判定部１２は、本発明の判定部に相当し、リモコン受光部１１で受信したリモコンコードの判定処理を行う。ユーザＩ／Ｆ操作部１３は、リモコンコード判定部１２の判定結果に基づいて、チューナ制御部１６及び／又はＡ／Ｖ入力選択部１７を制御して、操作対象画面に対してリモコンコードに応じた操作を行う。このユーザＩ／Ｆ操作部１３は、各画面に対応するリモコンコードとその操作内容とを対応付けた管理テーブル（図示せず）を備える。
【００２９】
ＴＶチューナ１４，１５は、地上波デジタル放送、ＢＳデジタル放送、ＣＳデジタル放送などを受信・復調するデジタルチューナをはじめ、地上波アナログ放送、ＢＳアナログ放送、ＣＳアナログ放送などのアナログチューナであってもよい。チューナ制御部１６は、ユーザＩ／Ｆ操作部１３からの操作内容に従って、ＴＶチューナ１４，１５からの映像・音声信号を選択・入力する。また、Ａ／Ｖ入力選択部１７は、ＰＣやレコーダなどの外部機器２２１，２２２，…，２２ｎを接続するためのＩＥＥＥ１３９４、ＨＤＭＩ、ＵＳＢ、ＬＡＮなどの各種インターフェースを備え、ユーザＩ／Ｆ操作部１３からの操作内容に従って、外部機器２２１，２２２，…，２２ｎからの映像・音声信号を選択・入力する。
【００３０】
例えば、２人のユーザがＴＶ１０を２画面表示にし、右画面にＴＶチューナ１４からの放送番組を表示させ、左画面に外部機器２２１からの映像を表示させようとした場合について説明する。
まず、ユーザＩ／Ｆ操作部１３は、リモコン装置１００あるいはリモコン装置２００の入力操作に基づいて、チューナ制御部１６を制御して、ＴＶチューナ１４で受信した放送番組の映像・音声信号を選択・入力し、映像信号を映像表示制御部１８に送り、音声信号を音声出力制御部１９に送る。
一方、ユーザＩ／Ｆ操作部１３は、リモコン装置１００あるいはリモコン装置２００の入力操作に基づいて、Ａ／Ｖ入力選択部１７を制御して、外部機器２２１からの映像・音声信号を選択・入力し、映像信号を映像表示制御部１８に送り、音声信号を音声出力制御部１９に送る。
【００３１】
映像表示制御部１８は、チューナ制御部１６からの映像信号を右画面に割り当て、Ａ／Ｖ入力選択部１７からの映像信号を左画面に割り当て、これら右画面と左画面を１画面に合成し、この合成画面をディスプレイ２０から表示出力する。
【００３２】
音声出力制御部１９は、チューナ制御部１６からの音声信号と、Ａ／Ｖ入力選択部１７からの音声信号のいずれか一方をスピーカ２１から音声出力させる。この際、メイン画面として設定されている画面の音声信号が優先的に出力される。例えば、チューナ制御部１６からの映像信号を割り当てた右画面がメイン画面であれば、チューナ制御部１６からの音声信号がスピーカ２１から出力される。
【００３３】
図１及び図２において説明したように、２画面表示を行う際に、本発明のリモコンユニットを構成するリモコン装置１００からは右画面用リモコンコード、リモコン装置２００からは左画面用リモコンコードが送信される。ＴＶ１０のリモコンコード判定部１２は、リモコン受光部１１で受信したリモコンコードが右画面用リモコンコードか、あるいは、左画面用リモコンコードかを判定する。ユーザＩ／Ｆ操作部１３は、リモコンコード判定部１２による判定結果に基づいて、チューナ制御部１６あるいはＡ／Ｖ入力選択部１７を制御して、リモコンコードの操作内容に従って該当画面の操作を行う。例えば、右画面用リモコンコードと判定され、操作内容が選局である場合、チューナ制御部１６を制御して、右画面の選局を行う。
【００３４】
図４は、本発明のリモコンユニットによる送信許可要求コード送信時の処理の一例を説明するためのフロー図である。本例では図１に示したリモコンユニットに基づいて説明する。まず、リモコンユニットを構成するリモコン装置１００は、ユーザによりいずれかのリモコンボタン（リモコンキー１０６）が押下されたことを検出すると（ステップＳ１）、左送信部１０４から送信許可要求コード（左）を送信し（ステップＳ２）、右送信部１０２から送信許可要求コード（右）を送信する（ステップＳ３）。このステップＳ２とステップＳ３の順序は逆でもよく、あるいは、同時に送信するようにしてもよい。
【００３５】
次に、リモコン装置１００は、左受信部１０５及び右受信部１０３でリモコン装置２００からの送信許可コードの受信待ち状態に移行する（ステップＳ４，Ｓ５）。リモコン装置１００は、左受信部１０５でコードを検出したかどうかを判定し（ステップＳ６）、コードを検出した場合（ＹＥＳの場合）、当該コードが送信許可コードであるかどうかを判定する（ステップＳ７）。
【００３６】
リモコン装置１００は、ステップＳ７において、送信許可コードであれば（ＹＥＳの場合）、送信許可コートと共に送信されてくる位置情報が右コードかどうかを判定する（ステップＳ８）。一方、ステップＳ７において、送信許可コードでなければ（ＮＯの場合）、ステップＳ４に移行して処理を繰り返す。
【００３７】
リモコン装置１００は、ステップＳ８において、右コードであれば（ＹＥＳの場合）、リモコン装置１００がリモコン装置２００の右側に位置していると認識し、前面送信部１０１からＴＶに向けて右画面用リモコンコードを送信する（ステップＳ９）。一方、ステップＳ８において、右コードでなければ（ＮＯの場合）、ステップＳ４に移行して処理を繰り返す。
【００３８】
また、リモコン装置１００は、ステップＳ６において、左受信部１０５でコードを検出しない場合（ＮＯの場合）、右受信部１０３でコードを検出したかどうかを判定し（ステップＳ１０）、コードを検出した場合（ＹＥＳの場合）、当該コードが送信許可コードであるかどうかを判定する（ステップＳ１１）。
【００３９】
リモコン装置１００は、ステップＳ１１において、送信許可コードであれば（ＹＥＳの場合）、送信許可コードと共に送信されてくる位置情報が左コードかどうかを判定する（ステップＳ１２）。一方、ステップＳ１１において、送信許可コードでなければ（ＮＯの場合）、ステップＳ４に移行して処理を繰り返す。
【００４０】
リモコン装置１００は、ステップＳ１２において、左コードであれば（ＹＥＳの場合）、リモコン装置１００がリモコン装置２００の左側に位置していると認識し、前面送信部１０１からＴＶに向けて左画面用リモコンコードを送信する（ステップＳ１３）。一方、ステップＳ１２において、左コードでなければ（ＮＯの場合）、ステップＳ４に移行して処理を繰り返す。
【００４１】
また、リモコン装置１００は、ステップＳ１０において、コードを検出しなかった場合（ＮＯの場合）、送信許可コードの受信タイムアウトになったかどうかを判定し（ステップＳ１４）、受信タイムアウトになった場合（ＹＥＳの場合）、前面送信部１０１からメイン画面用リモコンコードを送信する（ステップＳ１５）。一方、ステップＳ１４において、受信タイムアウトでなかった場合（ＮＯの場合）、ステップＳ４に移行して処理を繰り返す。
【００４２】
図５は、本発明のリモコンユニットによる送信許可要求コード受信時の処理の一例を説明するためのフロー図である。本例では図１に示したリモコンユニットに基づいて説明する。まず、リモコンユニットを構成するリモコン装置２００は、リモコン装置１００から送信許可要求コードを受信すると、前面送信部２０１からＴＶへ向けてリモコンコードを送信中かどうか判定する（ステップＳ２１）。ここで、リモコンコードを送信中の場合（ＹＥＳの場合）、リモコンコードの送信終了まで待って（ＹＥＳの場合）、ステップＳ２３へ移行する。また、リモコンコードを送信中でない場合（ＮＯの場合）、左送信部２０４から左コードを含む送信許可コードを送信し（ステップＳ２３）、右送信部２０２から右コードを含む送信許可コードを送信する（ステップＳ２４）。
【００４３】
以上説明したように、本発明によれば、リモコン装置の左右側面それぞれに、送信部と受信部を備えているため、２つのリモコン装置のキー操作が同時に行われても、リモコン装置間で送信タイミングを調停し、混信することがなく、ＴＶ本体を操作することが出来る。
また、ＴＶ画面が２画面表示の場合、操作対象画面を切り換えることなく、２つのリモコン装置により左右画面を同時に操作することが出来る。
また、リモコン装置の位置関係により、操作対象画面が決まるので、各画面に対応した個別のリモコン装置を選ぶことなく、ＴＶの操作を行うことが出来る。
【図面の簡単な説明】
【００４４】
【図１】本発明の一実施形態に係るリモコンユニットの外観構成例を示す図である。
【図２】図１に示したリモコンユニットを構成するリモコン装置の内部構成例を示すブロック図である。
【図３】本発明の一実施形態に係る多画面表示装置の構成例を示すブロック図である。
【図４】本発明のリモコンユニットによる送信許可要求コード送信時の処理の一例を説明するためのフロー図である。
【図５】本発明のリモコンユニットによる送信許可要求コード受信時の処理の一例を説明するためのフロー図である。
【符号の説明】
【００４５】
１０…多画面表示装置（ＴＶ）、１１…リモコン受光部、１２…リモコンコード判定部、１３…ユーザＩ／Ｆ操作部、１４，１５…ＴＶチューナ、１６…チューナ制御部、１７…Ａ／Ｖ入力選択部、１８…映像表示制御部、１９…音声出力制御部、２０…ディスプレイ、２１…スピーカ、２２１〜２２ｎ…外部機器、１００，２００…リモコン装置、１０１，２０１…前面送信部、１０２，２０２…右送信部、１０３，２０３…右受信部、１０４，２０４…左送信部、１０５，２０５…左受信部、１０６，２０６…リモコンキー、１０７…コントローラ。
【図１】
2008167100.tif 000003
【図２】
2008167100.tif 000004
【図３】
2008167100.tif 000005
【図４】
2008167100.tif 000006
【図５】
2008167100.tif 000007